(57)【要約】【課題】検診の際に撮影手順が煩雑になることを軽減し、限られた時間内に多くのＸ線撮影画像を撮影することができるようにする。【解決手段】検査画像を表示する表示部６と、Ｘ線撮影部８に対し、Ｘ線を発生し、前記検査画像を収集指示する指示部５と、該収集指示を終えた後に、次の検査の検査条件を自動的に設定する設定部（ＣＰＵ２）とを有し、該設定部は、前記検査を終了せずに検査継続を指示する継続指示部と、前記検査条件を修正する条件修正部と、前記検査条件の設定を確定する確定部とを有し、該確定部により検査条件の設定が確定されると、前記検査画像が外部転送され、検査継続することが不可能となるようにする。【選択図】　　　図１
2004073491.tif 000002
【特許請求の範囲】
【請求項１】
被検者を順次検査し、収集した検査画像を外部転送するＸ線撮影装置であって、
該検査画像を表示する検査画像表示部と、
Ｘ線を発生し、前記検査画像を収集指示するＸ線発生装置指示部と、
該収集指示を終えた後に、次の検査の検査条件を自動的に設定する設定部とを有し
該設定部は、前記検査を終了せずに検査継続を指示する継続指示部と、
前記検査条件を修正する条件修正部と、
前記検査条件の設定を確定する確定部とを有し、
該確定部により検査条件の設定が確定されると、前記検査画像が外部転送され、検査継続することが不可能となるようにしたことを特徴とするＸ線撮影画像装置。
【請求項２】
前記検査画像は、複数の画像を有することを特徴とする請求項１に記載のＸ線撮影画像装置。
【請求項３】
前記外部転送が行われる時期は、前記Ｘ線発生装置指示部により、次の検査に対する検査画像の収集指示がなされた直後とすることを特徴とする請求項１に記載のＸ線撮影画像装置。
【請求項４】
前記Ｘ線発生装置指示部は、次の検査の検査条件の設定を確定する確定部を兼ねることを特徴とする請求項１に記載のＸ線撮影画像装置。
【発明の詳細な説明】
【０００１】
【発明の属する技術分野】
本発明は、Ｘ線撮影画像装置に関し、特に、Ｘ線画像を撮影するために用いて好適なものである。
【０００２】
【従来の技術】
近年、アモルファスシリコンを用いた大面積センサ（例えば、特開平８−１１６０４４号公報）が開発され、これを用いたＸ線撮影画像装置が開発されている。
【０００３】
これは、Ｘ線フィルムの代わりである半導体撮像素子と蛍光体を組み合わせたもので、胸部レントゲン検診や胃ガン検診に使用することができる。また、前記Ｘ線撮影画像装置は、フィルム撮影とは異なり、瞬時にその出力像をＣＲＴなどの表示装置で映し出すことが可能で、さらに出力像をコンピュータで画像処理し、外部の他の装置へ画像を転送することが可能である。
【０００４】
【発明が解決しようとする課題】
しかしながら、前記Ｘ線撮影装置は、１つの検査を終了し、検査した画像（検査画像）を外部転送するまでの手順が煩雑であった。具体的に説明すると、（１）検査条件設定、（２）Ｘ線発生装置指示、（３）検査終了確定の後、外部転送となるため、操作者は装置に対して３度も設定／指示を与える必要があり、煩雑であった。
【０００５】
本発明は、前述の問題点に鑑み、検診の際に撮影手順が煩雑になることを軽減し、限られた時間内に多くのＸ線撮影画像を撮影することができるようにすることを第１の目的とする。
また、操作者が１度ないしは２度の設定／指示を与えることで、検査画像を外部転送することを可能にすることを第２の目的とする。
【０００６】
【課題を解決するための手段】
被検者を順次検査し、収集した検査画像を外部転送するＸ線撮影装置であって、検査画像を表示する検査画像表示部と、Ｘ線を発生し検査画像を収集指示するＸ線発生装置指示ステップと、該指示を終えた後に、次の検査の検査条件を自動的に設定する設定ステップと、該設定部には、前記検査を終了せず検査継続を指示する継続指示ステップ、および、前記検査条件を修正する条件修正ステップを有し、および、前記設定を確定する確定ステップを有することを特徴とする。
【０００７】
【発明の実施の形態】
次に、図面を参照しながら本発明のＸ線撮影画像装置の実施の形態を説明する。
図１は、Ｘ線撮影画像装置の概略構成を示すブロック図である。図２は、検査開始時の検査進行シーケンス図であり、図３は、通常時の検査進行シーケンス図である。
【０００８】
図１に示すように、Ｘ線撮影画像装置１は、ＣＰＵ２と、ＲＯＭ３と、ＲＡＭ４と、指示・設定部５と、表示部６と、通信インターフェース７と、Ｘ線撮影部８とを有している。これらＣＰＵ２、ＲＯＭ３、ＲＡＭ４、指示・設定部５、表示部６、通信インターフェース７、Ｘ線撮影部８は、内部バス９により相互に通信可能に接続されている。
【０００９】
ＣＰＵ２は、Ｘ線撮影画像装置１を統括制御するためのものである。
ＲＯＭ３は、Ｘ線撮影画像装置１を制御する際に使用する各種プログラムなどを記憶するものである。
ＲＡＭ４は、Ｘ線撮影画像装置１の制御を行う際のＣＰＵ２のワークエリアなどとして使用される。
指示・設定部５は、後述するＸ線発生装置指示ステップや検査条件設定ステップにおいて、Ｘ線撮影画像発生装置１に対して所望の指示を、操作者が行うためのものであり、例えば、キーボードなどにより実現される。
表示部６は、後述する検査条件設定画面などを表示するモニタである。
通信インターフェース７は、検査画像などを外部に転送するためのものである。
Ｘ線撮影部８は、Ｘ線を発生するためのものである。
【００１０】
このような構成のＸ線撮影画像装置１において、通常時、操作者は、検査条件設定ステップにより、自動的に設定された検査条件を見る。
自動的に設定される検査条件の設定例の１つとして、検査を特定する番号を自動的に順番に発行する例が挙げられる。
【００１１】
検査条件に修正する項目がなければ、確認ステップが終了し、Ｘ線発生装置指示ステップへ移行する。検査条件に修正する項目があれば、修正ステップに移行し、検査条件ステップへ戻る。現検査を修正する項目があれば、検査継続ステップに移行し、検査を再度撮影し直すことが可能である。
【００１２】
Ｘ線発生装置ステップでは、操作者は、Ｘ線発生装置（Ｘ線発生部８）へＸ線発生を指示する。Ｘ線画像撮影装置１は、この指示と同時に前回の検査画像を外部転送する。なお、Ｘ線発生装置ステップは、１つの検査に複数回行われることがある。
【００１３】
図４は、検査条件設定ステップにおけるＸ線撮影画像装置１の画面例である。同じ画面上に次の検査の検査条件設定画面と、現在の検査画像の表示領域を有している。
【００１４】
表示画像があることにより、操作者は、現在の検査を終了して次の検査に移行するか、または、現在の検査を再度撮影し直すかの判断が可能である。
このように、自動的に設定される検査条件に修正する項目が無く、また、検査の修正作業が無ければ、Ｘ線発生装置指示ステップのみで次の検査に進行することが可能であり、操作者は、１つの検査につきＸ線撮影画像装置の１回の操作で検査進行させることが可能となる。したがって、収集した検査画像を外部転送するＸ線撮影画像装置において、撮影手順が煩雑になることを軽減し、単位時間内に多くの検査画像を収集することが可能になる。
【００１５】
（本発明の他の実施形態）
上述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００１６】
また、この場合、前記ソフトウェアのプログラムコード自体が上述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００１７】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００１８】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行ない行ない、その処理によって上述した実施形態の機能が実現される場合にも本発明に含まれることは言うまでもない。
【００１９】
【発明の効果】
以上説明したように、本発明によれば、収集した検査画像を外部転送するに際して、前記検査画像の撮影手順が煩雑になることを軽減し、単位時間内に多くの検査画像を収集することが可能になる。
【図面の簡単な説明】
【図１】本発明の実施の形態を示し、Ｘ線撮影画像装置の概略構成の一例を示したブロック図である。
【図２】本発明の実施の形態を示し、検査開始時の検査進行シーケンスを示した図である。
【図３】本発明の実施の形態を示し、通常時の検査進行シーケンスを示した図である。
【図４】本発明の実施の形態を示し、検査条件設定ステップにおいて表示される画面の一例を示した図である。
【符号の説明】
１　Ｘ線撮影画像装置
５　指示・設定部
６　表示部
７　通信インターフェース
８　Ｘ線撮影部
【図１】
2004073491.tif 000003
【図２】
2004073491.tif 000004
【図３】
2004073491.tif 000005
【図４】
2004073491.tif 000006